(57)【要約】【課題】この発明は、電子番組表上で単位時間毎に時刻を区切るための時刻区切り線について、その番組情報の表示部分における表示形態を改良することにより、ユーザにとって効率的で見易い番組表表示を行なうことを可能とした番組表表示装置、番組表表示方法及び放送受信装置を提供することを目的としている。【解決手段】電子番組表を作成する際に、それぞれの番組毎にその番組に対応する表示領域を番組表示枠（７６）で囲み、その番組表示枠（７６）で囲まれた表示領域については、単位時間毎に時刻を区切るための時刻区切り線（７５）を、番組表示枠（７６）を構成する線（７６ａ，７６ｂ）から当該番組表示枠（７６）内に向けて予め設定された所定の長さだけ表示させるようにしている。【選択図】    図４
2009111862.tif 000002
【特許請求の範囲】
【請求項１】
番組情報を取得する取得手段と、
前記取得手段で取得された番組情報に基づいて電子番組表を作成する作成手段とを具備し、
前記作成手段は、それぞれがチャンネルに対応する複数のチャンネル表示枠を一方向に配列するとともに、前記チャンネル表示枠の配列方向に直交する方向にそれぞれが時系列的に連続する単位時間に対応する複数の時間枠を配列し、前記チャンネル表示枠と時間枠とで示される領域を対応する番組情報の表示領域とする電子番組表を作成する際に、それぞれの番組毎にその番組に対応する表示領域を番組表示枠で囲み、前記番組表示枠で囲まれた表示領域については、単位時間毎に時刻を区切るための時刻区切り線を、前記番組表示枠で囲まれていない領域と表示形態を変えて表示させるようにしたことを特徴とする番組表表示装置。
【請求項２】
前記作成手段は、前記番組表示枠で囲まれた表示領域については、単位時間毎に時刻を区切るための時刻区切り線を、前記番組表示枠を構成する線から当該番組表示枠内に向けて予め設定された所定の長さだけ表示させるようにしたことを特徴とする請求項１記載の番組表表示装置。
【請求項３】
前記作成手段は、前記番組表示枠で囲まれた表示領域については、単位時間毎に時刻を区切るための時刻区切り線を、前記番組表示枠を構成する線から当該番組表示枠内に向けて、前記番組表示枠で囲まれた表示領域に表示されている文字のほぼ１文字分に対応する長さだけ表示させるようにしたことを特徴とする請求項１記載の番組表表示装置。
【請求項４】
前記作成手段は、前記番組表示枠で囲まれた表示領域については、単位時間毎に時刻を区切るための時刻区切り線を、前記番組表示枠で囲まれていない領域と線種を変えて表示させるようにしたことを特徴とする請求項１記載の番組表表示装置。
【請求項５】
前記作成手段は、前記番組表示枠で囲まれた表示領域については、単位時間毎に時刻を区切るための時刻区切り線を、前記番組表示枠で囲まれていない領域とトーンを変えて表示させるようにしたことを特徴とする請求項１記載の番組表表示装置。
【請求項６】
前記作成手段は、前記番組表示枠で囲まれた表示領域については、単位時間毎に時刻を区切るための時刻区切り線を、前記番組表示枠で囲まれた表示領域に表示されている文字と色を変えて表示させるようにしたことを特徴とする請求項１記載の番組表表示装置。
【請求項７】
番組情報を取得する取得手段と、
前記取得手段で取得された番組情報に基づいて電子番組表を作成する作成手段とを具備し、
前記作成手段は、単一のチャンネル表示枠と、それぞれが時系列的に連続する単位時間に対応する複数の時間枠とで示される領域を、対応する番組情報の表示領域とする電子番組表を作成する際に、それぞれの番組毎にその番組に対応する表示領域を番組表示枠で囲み、前記番組表示枠で囲まれた表示領域については、単位時間毎に時刻を区切るための時刻区切り線を、前記番組表示枠で囲まれていない領域と表示形態を変えて表示させるようにしたことを特徴とする番組表表示装置。
【請求項８】
放送信号を受信する受信手段と、
前記受信手段で受信した放送信号から所望のチャンネルの信号を抽出して所定の信号処理を施すことで映像信号を生成する信号処理手段と、
前記信号処理手段で得られた映像信号を出力する出力手段と、
番組情報を取得する取得手段と、
前記取得手段で取得された番組情報に基づいて電子番組表を作成する作成手段とを具備し、
前記作成手段は、それぞれがチャンネルに対応する複数のチャンネル表示枠を一方向に配列するとともに、前記チャンネル表示枠の配列方向に直交する方向にそれぞれが時系列的に連続する単位時間に対応する複数の時間枠を配列し、前記チャンネル表示枠と時間枠とで示される領域を対応する番組情報の表示領域とする電子番組表を作成する際に、それぞれの番組毎にその番組に対応する表示領域を番組表示枠で囲み、前記番組表示枠で囲まれた表示領域については、単位時間毎に時刻を区切るための時刻区切り線を、前記番組表示枠で囲まれていない領域と表示形態を変えて表示させるようにしたことを特徴とする放送受信装置。
【請求項９】
番組情報を取得する取得工程と、
前記取得工程で取得された番組情報に基づいて電子番組表を作成する作成工程とを具備し、
前記作成工程では、それぞれがチャンネルに対応する複数のチャンネル表示枠を一方向に配列するとともに、前記チャンネル表示枠の配列方向に直交する方向にそれぞれが時系列的に連続する単位時間に対応する複数の時間枠を配列し、前記チャンネル表示枠と時間枠とで示される領域を対応する番組情報の表示領域とする電子番組表を作成する際に、それぞれの番組毎にその番組に対応する表示領域を番組表示枠で囲み、前記番組表示枠で囲まれた表示領域については、単位時間毎に時刻を区切るための時刻区切り線を、前記番組表示枠で囲まれていない領域と表示形態を変えて表示させるようにしたことを特徴とする番組表表示方法。
【発明の詳細な説明】
【技術分野】
【０００１】
この発明は、例えばデジタルテレビジョン放送受信装置等に使用して好適する番組表表示装置、番組表表示方法及び放送受信装置に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信するデジタルテレビジョン放送受信装置では、放送信号から取得したＥＰＧ（electronic program guide）情報に基づいて電子番組表を作成し、画面に映像表示している。これにより、ユーザは、映像表示された電子番組表から所望の番組を選択して、視聴や録画予約等を行なうことができる。
【０００４】
ところで、現在、デジタルテレビジョン放送において、ＥＰＧ情報には、放送される多数のチャンネルのそれぞれに対して、１週間先までの電子番組表を作成可能な情報が含まれている。また、ラジオ放送の場合、ＥＰＧ情報には、放送される各チャンネルのそれぞれに対して、３日先までの電子番組表を作成可能な情報が含まれている。
【０００５】
このため、デジタルテレビジョン放送受信装置では、限られた画面内に全ての電子番組表を同時に表示させることはできないので、画面上で電子番組表を部分的に切り替えながら表示させるようにしている。しかしながら、このような表示形態を採用したとしても、実際上、画面内で電子番組表はかなり過密に表示されるため、ユーザが容易に判読することができるように表示形態により一層の工夫を施すことが重要となる。
【０００６】
特許文献１には、電子番組表上において、各番組を示す文字の先頭部分にその番組の開始分を表示するための分表示アイコンを表示させるとともに、番組の時間帯を区切るための枠線を表示させないようにすることにより、多くの情報を効率的に表示させるようにすることが開示されている。
【特許文献１】特開２００６−５００１１号公報
【発明の開示】
【発明が解決しようとする課題】
【０００７】
そこで、この発明は上記事情を考慮してなされたもので、電子番組表上で単位時間毎に時刻を区切るための時刻区切り線について、その番組情報の表示部分における表示形態を改良することにより、ユーザにとって効率的で見易い番組表表示を行なうことを可能とした番組表表示装置、番組表表示方法及び放送受信装置を提供することを目的とする。
【課題を解決するための手段】
【０００８】
この発明に係る番組表表示装置は、番組情報を取得する取得手段と、取得手段で取得された番組情報に基づいて電子番組表を作成する作成手段とを備え、作成手段は、それぞれがチャンネルに対応する複数のチャンネル表示枠を一方向に配列するとともに、チャンネル表示枠の配列方向に直交する方向にそれぞれが時系列的に連続する単位時間に対応する複数の時間枠を配列し、チャンネル表示枠と時間枠とで示される領域を対応する番組情報の表示領域とする電子番組表を作成する際に、それぞれの番組毎にその番組に対応する表示領域を番組表示枠で囲み、番組表示枠で囲まれた表示領域については、単位時間毎に時刻を区切るための時刻区切り線を、番組表示枠で囲まれていない領域と表示形態を変えて表示させるようにしたものである。
【０００９】
また、この発明に係る番組表表示方法は、番組情報を取得する取得工程と、取得工程で取得された番組情報に基づいて電子番組表を作成する作成工程とを備え、作成工程では、それぞれがチャンネルに対応する複数のチャンネル表示枠を一方向に配列するとともに、チャンネル表示枠の配列方向に直交する方向にそれぞれが時系列的に連続する単位時間に対応する複数の時間枠を配列し、チャンネル表示枠と時間枠とで示される領域を対応する番組情報の表示領域とする電子番組表を作成する際に、それぞれの番組毎にその番組に対応する表示領域を番組表示枠で囲み、番組表示枠で囲まれた表示領域については、単位時間毎に時刻を区切るための時刻区切り線を、番組表示枠で囲まれていない領域と表示形態を変えて表示させるようにしたものである。
【００１０】
さらに、この発明に係る放送受信装置は、放送信号を受信する受信手段と、受信手段で受信した放送信号から所望のチャンネルの信号を抽出して所定の信号処理を施すことで映像信号を生成する信号処理手段と、信号処理手段で得られた映像信号を出力する出力手段と、番組情報を取得する取得手段と、取得手段で取得された番組情報に基づいて電子番組表を作成する作成手段とを備え、作成手段は、それぞれがチャンネルに対応する複数のチャンネル表示枠を一方向に配列するとともに、チャンネル表示枠の配列方向に直交する方向にそれぞれが時系列的に連続する単位時間に対応する複数の時間枠を配列し、チャンネル表示枠と時間枠とで示される領域を対応する番組情報の表示領域とする電子番組表を作成する際に、それぞれの番組毎にその番組に対応する表示領域を番組表示枠で囲み、番組表示枠で囲まれた表示領域については、単位時間毎に時刻を区切るための時刻区切り線を、番組表示枠で囲まれていない領域と表示形態を変えて表示させるようにしたものである。
【発明の効果】
【００１１】
上記した発明によれば、番組表示枠で囲まれた表示領域については、単位時間毎に時刻を区切るための時刻区切り線を、番組表示枠で囲まれていない領域と表示形態を変えて表示させるようにしたので、ユーザにとって効率的で見易い番組表表示を行なうことが可能となる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、１対のスピーカ１５、操作部１６、リモートコントローラ１７から送信される操作情報を受ける受光部１８等が設置されている。
【００１４】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１６】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１７】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続可能であり、そのネットワーク３２を介してＰＣ３３や携帯電話３４等の各種情報端末と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ＩＥＥＥ１３９４端子２４は、例えば、それぞれがデジタル放送受信機能を有するＡＶ（audio video）−ＨＤＤ４１やＤ（digital）−ＶＨＳ（video home system）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２６】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２７】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００２８】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００２９】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００３０】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３１】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィック処理部５６及び音声処理部５７に出力している。
【００３２】
このうち、グラフィック処理部５６は、信号処理部４８から供給されるデジタルの映像信号に、ＯＳＤ（on screen display）信号生成部５９で生成されるＯＳＤ信号を重畳して出力する機能を有する。また、このグラフィック処理部５６は、信号処理部４８の出力映像信号と、ＯＳＤ信号生成部５９の出力ＯＳＤ信号とを選択的に出力することや、両出力をそれぞれ画面の半分を構成するように組み合わせて出力することができる。
【００３３】
そして、グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３４】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３５】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００３６】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３７】
また、この制御部６３は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００３８】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００３９】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４０】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００４１】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４２】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７１を介して情報伝送を行なうことができる。
【００４３】
また、上記制御部６３は、番組表作成制御部６３ｅを備えている。この番組表作成制御部６３ｅは、詳細は後述するが、映像表示器１４に表示される電子番組表を作成するものであり、特に、電子番組表上で単位時間毎に時刻を区切るための時刻区切り線について、その番組情報の表示部分における表示形態を、ユーザがより一層見易くなるように変える機能を有している。
【００４４】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４５】
そして、このデジタルテレビジョン放送受信装置１１では、ユーザがリモートコントローラ１７の番組表キー１７ｈを操作することにより、上記番組表作成制御部６３ｅで作成した電子番組表を映像表示器１４に表示させることができる。なお、この電子番組表は、予め放送信号やネットワーク等を介して取得した番組情報であるＥＰＧ情報に基づいて作成されるものである。
【００４６】
図４は、映像表示器１４に表示された電子番組表の表示形態の一例を示している。この電子番組表は、水平方向にそれぞれがサービス（放送事業者）に対応する複数（図示の場合は５つ）のチャンネル表示枠７２１〜７２５を配列したチャンネル軸が配され、垂直方向にそれぞれが時系列的に連続した単位時間（図示の場合は１時間）に対応する複数（図示の場合は５時間分）の時間枠７３１〜７３５を配列した時間軸が配されており、放送が予定されている各種の番組の情報が、チャンネル表示枠７２１〜７２５と時間枠７３１〜７３５とで指定された対応する領域にそれぞれ表示されるようになっている。
【００４７】
そして、この電子番組表上には、各サービス（チャンネル表示枠７２１〜７２５）をそれぞれ区切るための垂直方向のチャンネル区切り線７４が表示可能であるとともに、単位時間（時間枠７３１〜７３５）毎に時刻を区切るための水平方向の時刻区切り線７５が表示可能となっている。
【００４８】
また、電子番組表上においては、それぞれの番組毎に、その番組に対応する領域が太線の番組表示枠７６で囲まれるようになっている。例えば、サービス３で午前１時３０分から午前３時まで放送予定の番組「ドラマ」について言えば、サービス３をサービス２と区切るための垂直線（チャンネル区切り線７４に重なる）７６ａと、サービス３をサービス４と区切るための垂直線（チャンネル区切り線７４に重なる）７６ｂと、サービス３の表示領域内で午前１時３０分に対応する位置を示すための水平線７６ｃと、サービス３の表示領域内で午前３時に対応する位置を示すための水平線（時刻区切り線７５に重なる）７６ｄとが、それぞれチャンネル区切り線７４及び時刻区切り線７５よりも太線となって表示されることにより番組表示枠７６を構成している。
【００４９】
ここで、上記時刻区切り線７５は、番組表示枠７６で囲まれた領域、つまり、放送予定番組が存在している領域と、番組表示枠７６で囲まれていない領域、つまり、放送予定番組が存在していない領域とで、その表示形態が次のように変更される。
【００５０】
すなわち、番組表示枠７６で囲まれていない領域については、時刻区切り線７５が通常に表示される。例えば、サービス５の表示領域内で午前３時及び４時に対応する位置は、放送予定番組が存在していないので、午前３時及び４時に対応する時刻区切り線７５が領域全体に亘ってそれぞれ水平表示されることになる。
【００５１】
これに対し、番組表示枠７６で囲まれた領域については、時刻区切り線７５をその領域全体に亘って水平表示せず、番組表示枠７６の垂直線７６ａ，７６ｂの近傍にだけ表示させるようにしている。例えば、サービス３で午前１時３０分から午前３時まで放送予定の番組「ドラマ」について言えば、その番組表示枠７６で囲まれた領域内に、午前２時に対応する時刻区切り線７５の表示位置が含まれることになる。
【００５２】
この場合、上記番組表作成制御部６３ｅは、午前２時に対応する時刻区切り線７５を、番組表示枠７６で囲まれた領域全体に亘って水平表示させることはせず、番組表示枠７６の垂直線７６ａ，７６ｂから番組表示枠７６内に向けて予め設定された所定の長さだけ水平方向に表示させるように制御している。
【００５３】
そして、時刻区切り線７５を番組表示枠７６の垂直線７６ａ，７６ｂから番組表示枠７６内に向けて水平表示させるために予め設定された所定の長さとは、例えば、電子番組表に表示されている文字のほぼ１文字分に対応する長さが妥当である。この場合、電子番組表上で表示する文字のフォントサイズが変更されれば、それに応じて表示される時刻区切り線７５の長さも変更される。
【００５４】
上記した実施の形態によれば、番組表示枠７６で囲まれた領域については、時刻区切り線７５を番組表示枠７６の垂直線７６ａ，７６ｂの近傍にだけ水平表示させることによって、番組表示枠７６内に記述された番組情報に、時刻区切り線７５が重なって表示されることを極力防止するようにしている。このため、ユーザが番組表示枠７６内に記述された番組情報を容易に読み取ることができるようになり、ユーザにとって効率的で見易い番組表表示を行なうことが可能となる。
【００５５】
この点に関し、従来の電子番組表の中には、図５に示すように、番組表示枠７６で囲まれていない領域だけでなく、番組表示枠７６で囲まれた領域についても、時刻区切り線７５をその領域全体に亘って水平表示させるようにしたものがある。しかしながら、この表示形態では、番組表示枠７６内に記述された番組情報に、時刻区切り線７５が重なって表示されることになるため、ユーザが番組表示枠７６内に記述された番組情報を読み取り難くなっている。
【００５６】
また、上記した実施の形態によれば、時刻区切り線７５を番組表示枠７６の垂直線７６ａ，７６ｂから番組表示枠７６内に向けて予め設定された所定の長さだけ水平方向に表示させるようにしている。このため、例えば、電子番組表上で時間枠７３１〜７３５から離れた位置に表示されているサービス（サービス３等）の表示領域内において、各番組の放送開始時刻や放送終了時刻をユーザが把握し易くなるという効果が得られる。
【００５７】
この点に関し、従来の電子番組表の中には、図６に示すように、番組表示枠７６で囲まれた領域については時刻区切り線７５を一切表示させないようにしたものもある。しかしながら、この表示形態では、時間枠７３１〜７３５から離れた位置に表示されているサービス（サービス３等）の表示領域内において、各番組の放送開始時刻や放送終了時刻をユーザが把握し難くなっている。
【００５８】
図７は、上記した実施の形態における電子番組表の表示処理動作をまとめたフローチャートを示している。すなわち、電子番組表の表示が要求されることにより処理が開始（ステップＳ１）されると、上記番組表作成制御部６３ｅは、ステップＳ２で、チャンネル表示枠７２１〜７２５と時間枠７３１〜７３５とを設定して電子番組表のレイアウトを表示させる。
【００５９】
その後、番組表作成制御部６３ｅは、ステップＳ３で、予め設定された順序に基づいて１つのサービス（例えばサービス１）を選択し、ステップＳ４で、その選択されたサービス（サービス１）について、電子番組表に表示すべきイベント（番組）が存在するか否かを判別する。
【００６０】
そして、存在すると判断された場合（ＹＥＳ）、番組表作成制御部６３ｅは、ステップＳ５で、そのイベントを電子番組表に表示させた後、ステップＳ６で、そのイベントの表示領域を囲むように番組表示枠７６を表示させるとともに、時刻区切り線７５を番組表示枠７６の垂直線７６ａ，７６ｂの近傍にだけ水平表示させる。
【００６１】
また、上記ステップＳ４で電子番組表に表示すべきイベントが存在しないと判断された場合（ＮＯ）、番組表作成制御部６３ｅは、ステップＳ７で、時刻区切り線７５を通常表示、つまり、先に選択されたサービスに対応する表示領域全体に亘って水平表示させる。
【００６２】
そして、上記ステップＳ６またはステップＳ７の後、番組表作成制御部６３ｅは、ステップＳ８で、先に選択された１つのサービス（サービス１）についてイベントの表示が全て完了したか否かを判別し、完了していないと判断された場合（ＮＯ）、上記ステップＳ４の処理に移行する。
【００６３】
また、上記ステップＳ８で１つのサービス（サービス１）についてイベントの表示が全て完了したと判断された場合（ＹＥＳ）、番組表作成制御部６３ｅは、ステップＳ９で、全てのサービスについてイベントの表示が完了したか否かを判別する。そして、完了していないと判断された場合（ＮＯ）、番組表作成制御部６３ｅは、ステップＳ３の処理に移行されて次のサービス（例えばサービス２）の選択を実行し、完了していると判断された場合（ＹＥＳ）、処理を終了（ステップＳ１０）する。
【００６４】
図８は、上記した実施の形態の変形例を示している。すなわち、番組表示枠７６で囲まれた領域について、時刻区切り線７５を点線によって水平表示させるようにしている。このような表示形態によっても、番組表示枠７６内に記述された番組情報に、時刻区切り線７５が重なって表示されることを極力防止し、ユーザが番組表示枠７６内に記述された番組情報を容易に読み取ることができるようになる。また、各番組の放送開始時刻や放送終了時刻をユーザが把握し易くなるという効果も得られる。
【００６５】
さらに、番組表示枠７６で囲まれた領域内における時刻区切り線７５の表示形態としては、例えば、番組表示枠７６で囲まれていない領域に表示する時刻区切り線７５よりもトーンを落として薄く表示すること、図８に示した点線の他に一点鎖線や二点鎖線のように線種を変えること、文字と異なる色にすること等が挙げられる。
【００６６】
ここで、上記の説明では、電子番組表として、それぞれがサービス（放送事業者）に対応する複数のチャンネル表示枠７２１〜７２５を配列させる形態について説明したが、これに限らず、例えば、単一のチャンネル表示枠を表示する形態の電子番組表に対しても、上記した実施の形態で説明した時刻区切り線７５の表示形態を適用することができ、ユーザにとって効率的で見易い番組表表示を行なわせることが可能であることはもちろんである。
【００６７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６８】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で表示される電子番組表の表示形態の一例を説明するために示す図。
【図５】番組表示枠内に時刻区切り線を表示する従来の電子番組表における表示形態の一例を説明するために示す図。
【図６】番組表示枠内に時刻区切り線を表示しない従来の電子番組表における表示形態の一例を説明するために示す図。
【図７】同実施の形態におけるデジタルテレビジョン放送受信装置で実行される電子番組表の表示処理動作を説明するために示すフローチャート。
【図８】同実施の形態におけるデジタルテレビジョン放送受信装置で表示される電子番組表の他の表示形態を説明するために示す図。
【符号の説明】
【００６９】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６３ａ…ＣＰＵ、６３ｂ…ＲＯＭ、６３ｃ…ＲＡＭ、６３ｄ…不揮発性メモリ、６３ｅ…番組表作成制御部、６４…カードＩ／Ｆ、６５…カードホルダ、６６…カードＩ／Ｆ、６７…カードホルダ、６８…通信Ｉ／Ｆ、６９…通信Ｉ／Ｆ、７０…ＵＳＢ Ｉ／Ｆ、７１…ＩＥＥＥ１３９４ Ｉ／Ｆ、７２１〜７２５…チャンネル表示枠、７３１〜７３５…時間枠、７４…チャンネル区切り線、７５…時刻区切り線、７６…番組表示枠、７６ａ，７６ｂ…垂直線、７６ｃ，７６ｄ…水平線。
【図１】
2009111862.tif 000003
【図２】
2009111862.tif 000004
【図３】
2009111862.tif 000005
【図４】
2009111862.tif 000006
【図５】
2009111862.tif 000007
【図６】
2009111862.tif 000008
【図７】
2009111862.tif 000009
【図８】
2009111862.tif 000010